(57)【要約】【課題】折り紙のような構成とは異なった繊細なデザインの提供が可能で、箸置きに載せた箸を確実に支持することができる紙製箸置きを提供する。【解決手段】円筒状に丸めて箸置きを形成する紙片１を設ける。紙片の両端部のいずれか一方の片面に感圧接着剤Ｐを塗布する。感圧接着剤Ｐにて丸めた紙片１の重なる両端部を接着する。紙片１に感圧接着剤Ｐを塗布する接着片２を形成する。接着片２の長手両端部に接着突片３を形成する。丸めた前記紙片１の重なる両端部の内側に接着突片３を折り込んで接着する。【選択図】  図２
0003211567.tif 000002
【実用新案登録請求の範囲】
【請求項１】
円筒状に丸めて箸置きを形成する紙片を設け、該紙片の対向する両端部のいずれか一方の片面に感圧接着剤を塗布し、該感圧接着剤にて丸めた紙片の重なる両端部を接着するように構成したことを特徴とする紙製箸置き。
【請求項２】
前記紙片の一側縁に、前記感圧接着剤を塗布する接着片を形成し、該接着片の長手両端部に、丸めた前記紙片の両端部の内側に折り込んで接着する接着突片を突設した請求項１記載の紙製箸置き。
【請求項３】
前記紙片を複数枚形成し、重ねた付箋紙状に積み重ねて使用するように構成した請求項１又は２記載の紙製箸置き。
【考案の詳細な説明】
【技術分野】
【０００１】
本考案は、付箋のりを使用した紙製箸置きに係り、柔らかなフォルムで繊細な形状を成す紙製箸置きに関する。
【背景技術】
【０００２】
従来の紙製箸置きとして、例えば特許文献１に記載の簡易折立箸置きのように、紙に折りスジと切り込みを入れ、立体に折りたたんで形成する箸置きが提案されている。この箸置きによると、折り込みに箸の先端を収納し切り込みを箸置きに使用するというものである。
【０００３】
一方、特許文献２に記載の箸置きには、カード状薄板を丸めて一本の爪楊枝で止めた箸置きが記載されている。この箸置きでは、爪楊枝の尖端を円筒状に丸めたカード状薄板の中に納めることで、この爪楊枝を前もってセットしておいても不特定多数の飲食者に触れられることはなく衛生的であるというものである。
【先行技術文献】
【特許文献】
【０００４】
【特許文献１】実開平８-１０５３号公報
【特許文献２】実用新案登録第３１３５６９８号公報
【考案の概要】
【考案が解決しようとする課題】
【０００５】
特許文献１に記載されている箸置きのように、紙を折りたたんで形成する箸置きは、折り紙のような構成になるので、素朴で質素な形状の箸置きを形成することは可能であるが、新鮮味に欠けるデザインにならざるを得なかった。
【０００６】
一方、特許文献２のように、爪楊枝とカード用紙とを組み合わせることで、折り紙にありがちなデザインを変えることが可能になっている。ところがこの箸置きは、爪楊枝がなければ形成できない構成なので、そもそも爪楊枝を使用しない一般的な箸置きとして使用することはできない。
【０００７】
しかも、カード用紙を丸めて爪楊枝で止めた箸置きでは、箸置きの中央部に箸を正確におく必要がある。すなわち、丸めた箸置きの一方の端部側に寄せて箸を載せると、この端部の開口部分が箸の重量で潰れてしまい大きな傾斜面が生じるため、載せた箸が箸置きからずれ落ちる虞がある。
【０００８】
そこで本考案は、上述の課題を解消すべく案出されたもので、折り紙のような構成とは異なった、より繊細なデザインの提供が可能で、しかも、箸置きに載せた箸を確実に支持することができる紙製箸置きの提供を目的とするものである。
【課題を解決するための手段】
【０００９】
上述の目的を達成すべく本考案における第１の手段は、円筒状に丸めて箸置きを形成する紙片１を設け、該紙片の対向する両端部のいずれか一方の片面に感圧接着剤Ｐを塗布し、該感圧接着剤Ｐにて丸めた紙片１の重なる両端部を接着するように構成したことにある。
【００１０】
第２の手段は、前記紙片１の一側縁に、前記感圧接着剤Ｐを塗布する接着片２を形成し、該接着片２の長手両端部に、丸めた前記紙片１の両端部の内側に折り込んで接着する接着突片３を突設したものである。
【００１１】
第３の手段は、前記紙片１を複数枚形成し、重ねた付箋紙状に積み重ねて使用するように構成したことにある。
【考案の効果】
【００１２】
本考案の請求項１によると、円筒状に丸めて箸置きを形成する紙片１を設け、該紙片の対向する両端部のいずれか一方の片面に感圧接着剤Ｐを塗布し、該感圧接着剤Ｐにて丸めた紙片１の重なる両端部を接着するように構成したことにより、紙を折りたたんで形成する箸置きのように折り紙のようなデザインではなく、柔らかなフォルムで繊細な形状を成す紙製箸置きを形成することができる。このとき、付箋のりとして使用されている感圧接着剤Ｐを用いて紙片１の端部を接着するので、接着剤による汚れ等の心配はなく、美しく接着することができる。
【００１３】
しかも、請求項２のように、前記紙片１の一側縁に、前記感圧接着剤Ｐを塗布する接着片２を形成し、該接着片２の長手両端部に、丸めた前記紙片１の両端部の内側に折り込んで接着する接着突片３を突設したことで、接着片２と接着突片３とが丸めた紙片１の形状をしっかりと保持することができる。この結果、本考案箸置きに載せた箸を確実に支持することができるものである。
【００１４】
更に、請求項３のごとく、前記紙片１を複数枚形成し、重ねた付箋紙状に積み重ねて使用するように構成したことによって、本考案箸置きの使用態様を広げることが可能になった。例えば、客用のテーブルに複数枚の紙片１を設置して食事をする者が自ら箸置きを形成する使い方や、あるいは食事の提供者側に複数枚の紙片１を設置し、料理と共に提供する使い方など、任意の使い方が可能になる。
【００１５】
このように本考案によると、折り紙のような構成とは異なった、より繊細なデザインの提供が可能で、しかも、確実に箸を支持することができるなどといった当初の目的を実現した。
【図面の簡単な説明】
【００１６】
【図１】本考案の一実施例を示す使用状態の斜視図である
【図２】（イ）乃至（ニ）は、本考案の組み立て手順を示す斜視図である
【図３】本考案の使用例を示す断面図である。
【図４】本考案の使用例を示す側面図である。
【図５】本考案を重ねた状態を示す斜視図である。
【考案を実施するための形態】
【００１７】
以下、本考案の実施例を説明する。本考案箸置きは、紙片１を円筒状に丸めて箸置きを形成するものである。
【００１８】
この紙片１には、対向する両端部のいずれか一方の片面に感圧接着剤Ｐを塗布する接着片２を形成している。そして、丸めた紙片１の重なる両端部を感圧接着剤Ｐで接着するように構成している。
【００１９】
この接着片２には、更に接着突片３を形成している。この接着突片３は、接着片２の長手両端部に突設した部位で、丸めた紙片１の重なる両端部の内側に折り込んで接着するように構成している。
【００２０】
図示例では、矩形状の紙片１を形成し、筒状に丸めたときに重なる両端部の一方の側縁に沿って帯状の接着片２を形成しこの片面に感圧接着剤Ｐを塗布している（図２（イ）参照）。このとき、矩形状の紙片１に円弧状の装飾部１Ａを形成しているが、この装飾部１Ａの有無や紙片１の形状等の設計変更は自由である。更に、接着片２に対向する端部に沿って、接着片２の感圧接着剤Ｐを接着する位置を示す被接着面１Ｂを形成している（図２（ロ）参照）。図示の被接着面１Ｂは、周囲と色や柄を変えることで被接着面１Ｂを識別できるように形成している。
【００２１】
更に、接着片２の長手両端部に接着突片３を突設し、この接着突片３の片面にも感圧接着剤Ｐを塗布している（図２（イ）参照）。
【００２２】
この紙片１を丸めて箸置きを形成するには、接着片２に対向する紙片１の端部が接着片２の感圧接着剤Ｐ側に重なるように紙片１を筒状に曲げる（図２（ロ）参照）。そして、紙片１の被接着面１Ｂに接着片２を重ねて感圧接着剤Ｐで接着する（図２（ハ）参照）。このとき、接着突片３は、筒状に丸められた紙片１の両端部から突出した状態になっている。そこでこの接着突片３を、筒体の内側に折り込んで筒体の内側に接着すると本考案箸置きが完成する（図２（ニ）参照）。
【００２３】
接着片２及び接着突片３は、感圧接着剤Ｐにて接着された状態で箸置きの錘代わりとなって底部に配置される（図３参照）。したがって、筒状の紙片１に箸１０を載せても筒状の紙片１は安定し、紙片１の弾性で柔らかに支持することができる（図４参照）。
【００２４】
更に、本考案箸置きを付箋紙のように重ねて使用することができる。すなわち、紙片１を複数枚形成し、重ねた付箋紙状に積み重ねて使用するものである（図５参照）。このように複数枚の紙片１をまとめておくと、様々に使用が可能になる。
【００２５】
例えば、客用のテーブルに複数枚の紙片１を重ねて設置しておき、食事をする者が自ら箸置きを形成する使い方や、あるいは食事の提供者側に複数枚の紙片１を設置し、料理と共に提供する使い方などである。更に、紙片１に任意デザインを施す他、企業の宣伝媒体や販促商品として使用することも可能になる。
【００２６】
尚、本考案は、図示例に限定される物ではなく、本考案の紙片１、接着片２、接着突片３の形状や材質等は、本考案の要旨を変更しない範囲において自由に変更できるものである。
【符号の説明】
【００２７】
Ｐ  感圧接着剤
１  紙片
１Ａ  装飾部
１Ｂ  被接着面
２  接着片
３  接着突片
１０  箸
【図１】
0003211567.tif 000003
【図２】
0003211567.tif 000004
【図３】
0003211567.tif 000005
【図４】
0003211567.tif 000006
【図５】
0003211567.tif 000007